(57)【特許請求の範囲】
【請求項１】
受信信号を復調する復調手段を含むデジタル携帯電話装置であって、
前記復調手段は、第１データ再生手段と第２データ再生手段とを含み、
前記第１データ再生手段は前記受信信号に基づき受信周波数のズレを表す品質データを含む第１の復調データを生成し、
前記第２データ再生手段は更に前記受信周波数を補正する補正回路を含み、前記補正回路の出力に基づき前記第１の復調データと異なる第２の復調データを生成し、
前記第１データ再生手段から出力される第1の復調データに基づき受信周波数の自動制御を行う自動周波数制御手段が起動されることを特徴とするデジタル携帯電話装置。
【請求項２】
請求項１記載のデジタル携帯電話装置であって、
前記第１データ再生手段は前記受信信号から前記第１の復調データを生成するデコーダを含むことを特徴とするデジタル携帯電話装置。
【請求項３】
請求項２記載のデジタル携帯電話装置であって、
前記第２データ再生手段は前記第２の復調データを生成するデコーダを含み、
前記第２の復調データを生成するデコーダは前記補正回路で得られた新たな周波数情報に基づき前記第２の復調データを生成することを特徴とするデジタル携帯電話装置。
【請求項４】
請求項１ないし３のいずれか１に記載のデジタル携帯電話装置であって、
前記第２の復調データは受信データを含むことを特徴とするデジタル携帯電話装置。
【発明の詳細な説明】
【０００１】
【発明の属する技術分野】
本発明はデジタル携帯電話装置に関し、特に周波数偏差判定機能を有するデジタル携帯電話装置に関する。
【０００２】
【従来の技術】
図４は、従来のデジタル携帯電話の一例の構成図である。デジタル携帯電話装置は、同図に示すようにアンテナ１０１と、無線部１０２と、復調部１０３と、自動周波数制御部（以下、ＡＦＣ部という）１０４と、クロック発生部（以下、ＣＬＫ部という）１０５と、音声処理部１０６と、基準発振器１０８と、制御部１０９と、操作部１１０と、表示部１１１と、マイク（ＭＩＣ）１１２と、レシーバ（ＲＥＣ）１１３とを含んで構成される。
【０００３】
このデジタル携帯電話装置では、アンテナ１０１にて受信した信号から受信したい信号周波数を無線部１０２にて選択し、さらに周波数変換及び増幅を行い中間周波信号（以下、ＩＦ信号という）１６１を出力する。復調部１０３はそのＩＦ信号１６１を復調して受信データ１６２を出力する。制御部１０９はその受信データ１６２を処理して音声信号１６３を出力する。音声処理部１０６はその音声信号１６３をアナログ信号に変えてレシーバー１１３より音声１６４を出力する。
【０００４】
又、マイク１１２より入力された音声１６５は、音声処理部１０６にてデジタル信号に変換され、制御部１０９はその信号を送信データに処理を行い、その送信データを無線部１０２にて変調し規定の周波数の搬送波とし、さらに増幅してアンテナ１０１より送信する。
【０００５】
又、操作部１１０は、電話番号入力などを司り、その入力データを制御部１０９に渡す。表示部１１１は各種の表示を行う。ＣＬＫ部１０５はタイミング処理や時刻表示等の為のクロックを発生する。基準発振器１０８は無線部１０２の周波数発生部に使用する基準周波数と、制御部１０９及び復調部１０３で使用する正確な周波数とを発生する。ＡＦＣ部１０４は受信した基地局の正確な周波数に合致するように基準発振器１０８を制御する。
【０００６】
次に復調部１０３について説明する。デジタル携帯電話システムでは、変調方式として、π／４シフトＤＱＰＳＫ（Ｄｉｆｆｅｒｅｎｔｉａｌ  Ｑｕａｄｒａｔｕｒｅ  Ｐｈａｓｅ  Ｓｈｉｆｔ  Ｋｅｙｉｎｇ）が用いられている。この復調方式としてデジタル携帯電話装置で一般的に用いられている遅延検波方式の復調回路の一例を図５に示す。図５はこの遅延検波方式の復調回路の一例の構成図である。なお、この復調回路は公知であるため、詳細な説明は省略する。
【０００７】
図５を参照して、復調部１０３は位相検出部１２１と、データ再生部（以下、ＤＡＴＡ再生部という）１２２と、位相補正部１２３と、クロック再生部（以下、ＣＬＫ再生部という）１２４と、復調クロック部１２５とを含んで構成される。
【０００８】
位相検出部１２１は、無線部１０２から出力される中間周波（以下、ＩＦという）信号を基準周波数（例えば、１４．４ＭＨｚ）１２８をクロックとして、シンボルＣＬＫ１３２のタイミングで、位相ＤＡＴＡ１２９として出力する。ＤＡＴＡ再生部１２２はその位相データ１２９より受信ＤＡＴＡ１３３を作成し出力する。
【０００９】
位相補正部１２３は位相ＤＡＴＡ１２９を基に位相補正を加え、ＡＦＣ部１０４で使用する位相補正の掛かったＩＦ信号１３０を補正出力する。復調クロック部１２５は基準周波数１２８を用いてＰＬＬ（Ｐｈａｓｅ  Ｌｏｃｋｅｄ  Ｌｏｏｐ）回路構成にて復調用ＣＬＫ１８１（例えば、２．６８８ＭＨｚ）を出力する。ＣＬＫ再生部１２４は復調用ＣＬＫ１８１を１２８分周してシンボルＣＬＫ１３２（例えば、２１ｋＨｚ）及び６４分周したＤＡＴＡ  ＣＬＫ１３１（例えば、４２ｋＨｚ）を出力する。又、位相ＤＡＴＡ１２９の前半と後半のシンボル区間の位相移動量の差によって、シンボルＣＬＫ１３２及びＤＡＴＡ  ＣＬＫ１３１の位相タイミングを調整することにより、ＩＦ１２７の信号のシンボルタイミングに合致させる。
【００１０】
次に、ＤＡＴＡ再生部１２２の特徴について説明する。図６は従来の遅延検波回路に用いられる従来例１のＤＡＴＡ再生部１２２の構成図である。なお、この従来例１は公知であり、特開平３−１８８７３７号公報にその詳細が開示されているため、詳細な説明は省略する。
【００１１】
位相検出部１２１からの位相データ１２９は１シンボル遅延１４１にて１シンボル遅延される。この１シンボル遅延後の遅延位相データ１５１と位相データ１２９とは減算器１４２にて減算され、５ビットの位相差データ１５２として出力される。その位相差データ１５２はデコーダ１４３に入力される。デコーダ１４３では、その位相差データ１５２がデコードされ、デコード結果の上位２ビットは受信データ１３３ａに変換され、更に下位３ビットは品質データ１３３ｂに変換される。そして、この受信データ１３３ａ及び品質データ１３３ｂは復調データ１３３として制御部１０９へ出力される。
【００１２】
復調データ１３３の内、品質データ１３３ｂは、制御部１０９で演算され周波数偏差の検出手段として用いられる。そして、制御部１０９は、周波数偏差が或る定められた一定値を越えた時にＡＦＣ部１０４を動作させる。更に、制御部１０９は品質データ１３３ｂを演算して受信回線の品質情報を作成し、この品質情報を携帯電話システムにて回線制御を行うための情報手段として用いる。
【００１３】
ところが、図６の従来の遅延検波回路に用いられる従来例１のＤＡＴＡ再生部１２２は、受信周波数がわずかでもズレると、受信感度の劣化や誤り率の劣化を起こすという欠点を有している。このため、図７に示す従来例２のＤＡＴＡ再生部１２２が用いられる場合もある。図７は従来例２のＤＡＴＡ再生部１２２の構成図である。
【００１４】
図７の従来例２のＤＡＴＡ再生部１２２では、受信周波数がズレても良好な受信感度が得られ、又、誤り率の劣化もないという特徴を備えている。なお、この従来例２も公知であり、その原理については特開昭５７−１６４６４５号公報にその詳細が開示されているため説明を省略する。又、その回路については特開平７−１８３９２７号公報及び特開平６−２０５０６２号公報にその詳細が説明されているため、詳細な説明は省略する。
【００１５】
図７の従来例２と図６の従来例１との相違点は、従来例２では減算器１４２の出力である位相差データ１５２の下位３ビット（品質データ１３３ｂに相当する）を補正回路１４４に入力し、周波数偏差による位相差分を補正回路１４４で計算し補正値１５３として減算器１４２に戻しているが、従来例１では位相差データ１５２の下位３ビットを補正回路１４４に入力するような処理は行っていない点である。
【００１６】
このＤＡＴＡ再生部１２２の補正回路１４４の構成を図８に示す。同図を参照して、補正回路１４４は累積加算部１４８と、平均値算出部１４９とを含んで構成される。そして、累積加算部１４８は位相差データ１５２の下位３ビットを一定シンボル回数累積加算し、その加算結果を平均値算出部１４９に出力する。平均値算出部１４９はその加算結果から一定シンボル回数区間での平均値を算出することで補正値１５３を減算器１４２へ渡す。
【００１７】
【発明が解決しようとする課題】
しかし、従来例２のＤＡＴＡ再生部１２２はデコーダ１４３の出力である品質データ１３３ｂから周波数偏差が演算できないという欠点があった。即ち、周波数がズレても受信感度の劣化や誤り率の劣化を生じないという有利な特徴がある反面、周波数がずれても品質データ１３３ｂも数値が変わらないという結果から、制御部１０９は品質データ１３３ｂを演算しても周波数ズレを検出できず、結果として周波数がズレているにもかかわらずＡＦＣ部１０４を起動することが出来ないという欠点があった。
【００１８】
一方、ＡＦＣ回路に関する技術が特開平７−２９７７７９号公報（以下、文献１という）及び特開平８−１６７８３２号公報（以下、文献２という）に開示され、復調方式に関する技術が特許第２５０４２４３号公報（以下、文献３という）に開示され、周波数ズレを自動補償する技術が特公昭６３−３８１４３号公報（以下、文献４という）に開示されている。しかし、これら文献１乃至４にも上記課題を解決する手段は開示されていない。
【００１９】
そこで、本発明の目的は受信周波数がズレても受信感度の劣化や誤り率の劣化を防止することが可能で、かつ、受信周波数がズレた場合に周波数ズレを検出しＡＦＣ部を起動し自動周波数調整を行うことにより継続して良好な通信を行うことが可能なデジタル携帯電話を提供することにある。
【００２０】
【課題を解決するための手段】
前記課題を解決するために本発明は、受信信号を復調する復調手段を含むデジタル携帯電話装置であって、前記復調手段はデータ再生手段を含んでおり、このデータ再生手段は前記受信信号に基づき受信周波数情報を含む第１品質データを生成する第１データ生成手段と、前記受信信号に基づき前記第１品質データとは異なる第２品質データを生成する第２データ生成手段とを含み、前記受信周波数情報に基づき受信周波数の自動制御を行う自動周波数制御手段が起動されることを特徴とする。
【００２１】
又、本発明による他の発明は、受信信号を復調する復調手段を含むデジタル携帯電話装置であって、前記復調手段はデータ再生手段を含んでおり、このデータ再生手段は前記受信信号の周波数情報を補正する補正手段と、この補正手段で得られた新たな周波数情報に基づき品質データを生成するデータ生成手段とを含み、前記補正手段で得られた補正値に基づき受信周波数の自動制御を行う自動周波数制御手段が起動されることを特徴とする。
【００２２】
本発明及び本発明による他の発明によれば、品質データとともに周波数偏差を演算するための情報が出力されるため、受信周波数がズレても受信感度の劣化や誤り率の劣化を防止することが可能で、かつ、受信周波数がズレた場合に周波数ズレを検出しＡＦＣ部を起動し自動周波数調整を行うことにより継続して良好な通信を行うことが可能となる。
【００２３】
【発明の実施の形態】
以下、本発明の実施の形態について添付図面を参照しながら説明する。まず、第１の実施の形態について説明する。図１は本発明に係るデジタル携帯電話装置の第１の実施の形態の構成図である。なお、図１では便宜上、デジタル携帯電話装置のＤＡＴＡ再生部の構成のみを示している。その理由は、本発明の特徴はＤＡＴＡ再生部の構成にあるからである。従って、従来と同様であるデジタル携帯電話装置の構成（図４参照）及び復調部の構成（図５参照）については図示を省略するとともにその動作説明も省略する。
【００２４】
図１を参照して、本発明のＤＡＴＡ再生部１２２は、１シンボル遅延部１４１と、第１減算器１４２と、第１デコーダ１４３と、補正回路１４４と、第２減算器１と、第２デコーダ２とを含んで構成される。
【００２５】
第１減算器１４２には、補正回路１４４が接続されており、その出力（第１位相差データ）１５２は、第１デコーダ１４３に入力され、上位２ビットは受信データ１３３ａとして、下位３ビットは品質データ１３３ｂとして、復調データ１３３として制御部１０９に渡される。なお、制御部１０９は復調データ１３３のうち品質データ１３３ｂを演算し、受信回線の品質情報を作成する。制御部１０９はこの品質データ１３３ｂを携帯電話において回線制御を行うための情報手段としている。
【００２６】
この回路の構成は従来例２（図７参照）と同様であるため、その出力は従来例２と同様の特徴を備えている。従って、受信データは周波数がズレても良好な受信感度をもたらし、更に、誤り率の劣化もないという特徴を有する。
【００２７】
更に、第２減算器１は補正回路を備えることなく、その出力（第２位相差データ１５４）は第２デコーダ２に渡され、下位３ビットは品質データ１３３ｃに変換され、復調データ１３３として受信データ１３３ａ及び品質データ１３３ｂと共に制御部１０９に渡される。
【００２８】
この品質データ１３３ｃは、従来例１（図６参照）と同様な回路構成によって得られているため、その特徴は従来例１の品質データ１３３ｂと同様な特徴を示し、周波数がズレていると数値が変化し制御部１０９はこの品質データ１３３ｃを演算することによって、周波数ズレを判定することが可能であるので、ＡＦＣ部１０４を起動することが出来る。
【００２９】
次に、第２の実施の形態について説明する。図２は本発明に係るデジタル携帯電話装置の第２の実施の形態の構成図である。なお、図２も便宜上、デジタル携帯電話装置のＤＡＴＡ再生部の構成のみを示している。理由は第１の実施の形態と同様である。
【００３０】
第１の実施の形態は減算器とデコーダを二重に持つことから回路が複雑である。第２の実施の形態は、この欠点を改善し簡単な回路としたことが特徴である。図２を参照して、第２の実施の形態は１シンボル遅延部１４１と、減算器１４２と、デコーダ１４３と、補正回路１４４とを含んで構成される。
【００３１】
このように、第２の実施の形態の構成は従来例２（図７参照）と同様であるが、異なる点は補正回路１４４の出力である。補正値１５３を減算器１４２に与えると共に、その補正値１５３を受信データ１３３ａ、品質データ１３３ｂと共に復調データ１３３として制御部１０９にも出力する点が従来例２と異なっている。
【００３２】
補正値１５３の特徴は、周波数ズレにより数値が変わる点にある。この周波数ズレと位相差データ下位３ビット累積加算平均値「補正値」の関係を図３に示す。同図によると、周波数ズレ（Ｈｚ）と位相差データ下位３ビット累積加算平均値「補正値」とは比例関係にあることが分かる。即ち、位相差データ下位３ビット累積加算平均値「補正値」１５３が分かれば周波数ズレ（Ｈｚ）が分かるのである。この特徴を生かして、本実施の形態では、制御部１０９は補正値１５３を演算することにより周波数ズレを検出し、ＡＦＣ部１０４を起動する。
【００３３】
【発明の効果】
本発明によれば、受信信号を復調する復調手段を含むデジタル携帯電話装置であって、前記復調手段はデータ再生手段を含んでおり、このデータ再生手段は前記受信信号に基づき第１品質データを生成する第１データ生成手段と、前記受信信号に基づき前記第１品質データとは異なる第２品質データを生成する第２データ生成手段とを含むため、品質データとともに周波数偏差を演算するための情報を出力することが可能となる。従って、受信周波数がズレても受信感度の劣化や誤り率の劣化を防止することが可能で、かつ、受信周波数がズレた場合に周波数ズレを検出しＡＦＣ部を起動し自動周波数調整を行うことにより継続して良好な通信を行うことが可能となる。
【００３４】
又、本発明による他の発明によれば、受信信号を復調する復調手段を含むデジタル携帯電話装置であって、前記復調手段はデータ再生手段を含んでおり、このデータ再生手段は前記受信信号の周波数情報を補正する補正手段と、この補正手段で得られた新たな周波数情報に基づき品質データを生成するデータ生成手段とを含み、前記補正手段で得られた補正値は受信周波数制御用に出力されるため、上記本発明と同様の効果を奏する。
【図面の簡単な説明】
【図１】本発明に係るデジタル携帯電話装置の第１の実施の形態の構成図である。
【図２】本発明に係るデジタル携帯電話装置の第２の実施の形態の構成図である。
【図３】周波数ズレ対位相差データ下位３ビット累積加算平均値「補正値」特性図である。
【図４】従来のデジタル携帯電話の一例の構成図である。
【図５】デジタル携帯電話装置で一般的に用いられている遅延検波方式の復調回路の一例の構成図である。
【図６】従来の遅延検波回路に用いられる従来例１のＤＡＴＡ再生部１２２の構成図である。
【図７】従来例２のＤＡＴＡ再生部１２２の構成図である。
【図８】ＤＡＴＡ再生部１２２の補正回路１４４の構成図である。
【符号の説明】
１  第２減算器
２  第２デコーダ
１２２  ＤＡＴＡ再生部
１４１  １シンボル遅延部
１４２  第１減算器
１４３  第１デコーダ
１４４  補正回路
【図１】
0003735488.tif 000002
【図２】
0003735488.tif 000003
【図３】
0003735488.tif 000004
【図４】
0003735488.tif 000005
【図５】
0003735488.tif 000006
【図６】
0003735488.tif 000007
【図７】
0003735488.tif 000008
【図８】
0003735488.tif 000009